(57)【要約】【課題】液体を噴出して組織を切断する液体噴射装置などの医療用器具は、手術室などで、どのように保持するかは十分に検討されていない。【解決手段】内部に機能部を備えた医療用の器具を保持する医療用器具保持装置（スタンド）であり、器具の一部を収容可能な器具収容部と、機能部によりこの器具において実現される機能に関連し、この器具を器具収容部に収容した際にその機能と連携する連携部とを備える。このため、この医療用器具保持装置は、そこに医療用の器具を収容すると、連携が可能となる。【選択図】図１
2015033508.tif 000002
【特許請求の範囲】
【請求項１】
内部に機能部を備えた医療用の器具を保持する医療用器具保持装置であって、
前記器具の一部を収容可能な器具収容部と、
前記機能部により前記器具において実現される機能に関連し、前記器具を前記器具収容部に収容した際に前記機能と連携する連携部と
を備えた医療用器具保持装置。
【請求項２】
前記器具の前記機能は、前記器具に設けられた吐出部から、液体を外部に吐出する機能であり、
前記器具収容部は、前記少なくとも吐出部を収容する
請求項１記載の医療用器具保持装置。
【請求項３】
前記連携部は、前記器具収容部に収容された前記器具の少なくとも前記液体の吐出部を洗浄する洗浄装置である請求項２記載の医療用器具保持装置。
【請求項４】
前記連携部は、前記器具収容部内の液体を排出する液体排出装置を備える請求項２記載の医療用器具保持装置。
【請求項５】
前記連携部は、前記器具収容部内の前記器具から漏出した液体を吸着する高分子ポリマーを備える請求項２記載の医療用器具保持装置。
【請求項６】
前記連携部は、前記器具収容部に前記医療用器具が収容されたとき、外部に信号を出力する信号出力部を備える請求項１から請求項５のいずれか一項に記載の医療用器具保持装置。
【請求項７】
前記連携部は、前記器具収容部に収容された前記器具側に設けられた認識装置に、前記器具の一部が前記器具収容部に収容されたことを認識させる作動部を備える請求項１から請求項６のいずれか一項に記載の医療用器具保持装置。
【請求項８】
前記連携部は、前記器具収容部に収容された前記器具との間で、前記医療用器具保持装置の種別および個体の少なくとも一方を認識するためのデータをやり取りするデータ部を備える請求項１から請求項７のいずれか一項に記載の医療用器具保持装置。  
【請求項９】
前記連携部は、前記器具収容部に収容された前記器具を加熱および冷却の少なくとも一方を行なう部材を備える請求項１から請求項８のいずれか一項に記載の医療用器具保持装置。
【請求項１０】
前記医療用器具保持装置の使用前には、前記器具収容部の入口を覆う皮膜を備えた請求項１から請求項９のいずれか一項に記載の医療用器具保持装置。
【請求項１１】
前記医療用の器具と共に滅菌包装された請求項１から請求項９のいずれか一項に記載の医療用器具保持装置。
【請求項１２】
請求項１から請求項１１のいずれか一項に記載の医療用器具保持装置であって、
前記医療用の器具に設けられた取り替え可能な取替部材を交換するために、少なくとも前記取替部材の先端を含む部分を収容する取替収容部と、
前記取替収容部に収容された取替部材を前記器具から取り外す取外部と
を備えた医療用器具保持装置。
【請求項１３】
前記取り外された取替部材に代えて前記器具に装着される新たな取替部材と、
前記新たな取替部材を前記器具に装着可能に収容した取替部材装着部と
を備えた請求項１２記載の医療用器具保持装置。
【発明の詳細な説明】
【技術分野】
【０００１】
本発明は、内部に機能部を備えた医療用の器具を保持する医療用器具保持装置に関する。
【背景技術】
【０００２】
近年、電気メスを初めとする様々な医療用器具が提案されている。例えば、水や生理食塩水などの液体をノズルからパルス状に噴射することによって、生物組織の切除や切開などを行なう液体噴射装置がある（特許文献１）。この液体噴射装置を用いて手術を行なうと、生物組織に熱損傷を与えたり、血管や神経などの組織を傷付けることなく手術を行なうことができる。こうした液体噴射装置では、術者が手に持つ医療用器具（以下、ハンドピースとも言う）と、ハンドピースに液体を供給する供給装置などを備える。
【０００３】
手術などを行なう際には、術者は、ハンドピースを手に持って利用するが、電気メスなどの他の術具に持替えることがある。こうした場合にハンドピースは手術台の周辺のスペースにそのまま置かれたり、金具にぶら下げられたりしていた。
【先行技術文献】
【特許文献】
【０００４】
【特許文献１】特開２００８− ８２２０２号公報
【発明の概要】
【発明が解決しようとする課題】
【０００５】
そこで、こうしたハンドピースなどの医療用器具を立てておくスタンドなどが考えられるが、医療用器具には様々な機能を実現する機能部が組み込まれているため、医療用器具を単に立てておくスタンドを用意しただけでは、十分な解決にならない。医療用器具には、その機能に起因する様々な制約が存在するからである。例えば、手術現場では、患者由来の汚染は一切許されないから、手術に用いた器具類は、基本的に再利用してはならない。スタンドであっても、一旦医療用器具をこれに接触させれば、再利用されてはならないが、使用済みのスタントが否かの判断をどのようにするかは、従来検討されていない。同様に、こうした医療用器具を保持する保持装置については、未解決の問題が多数残されていた。
【０００６】
かかる課題は、単に液体噴射装置用のハンドピースとその保持装置に限られるものではなく、電気メスや、レーザーメスなど、他の医療用器具においても共通するが、液体を噴射する装置の場合には、液体の噴射に起因する問題が更に存在している。例えば、液体噴射装置のハンドピースの場合、液体を噴射する噴射口（ノズル）にはバルブなどは設けていないので、使用しない状態で長時間ハンドピースを置いておくと、ノズル先端からハンドピース内の流路の液体が流れ出してしまうことが考えられる。あるいは、長時間使用しないで置いておくと、ハンドピースの先端に付着した物質が乾燥して固まってしまい、次の使用時にいちいち先端を洗浄しなければならないといったことも考えられた。
【０００７】
そのほか、医療用器具保持装置においても、その小型化や、低コスト化、省資源化、製造の容易化、使い勝手の向上等といった課題が存在する。
【課題を解決するための手段】
【０００８】
この発明は、従来の技術が有する上述した課題の少なくとも一部を解決するためになされたものであり、医療用器具を使用する場合に用い得る医療用器具保持装置の提供を目的とする。
【０００９】
本発明は、上述の課題の少なくとも一部を解決するためになされたものであり、以下の形態として実現することが可能である。
【００１０】
（１）本発明の一形態によれば、内部に機能部を備えた医療用の器具を保持する医療用器具保持装置が提供される。この医療用器具保持装置は、前記器具の一部を収容可能な器具収容部と、機能部により前記器具において実現される機能に関連し、前記器具を前記器具収容部に収容した際に前記機能と連携する連携部とを備える。
【００１１】
かかる医療用器具保持装置によれば、医療用の器具の一部を収容すると、連携部が器具の機能部により器具において実現される機能と連携する。したがって、医療用の器具が有する機能を十分に引き出すことができる。
【００１２】
（２）こうした医療用器具保持装置において、前記器具の前記機能は、前記器具に設けられた吐出部から、液体を外部に吐出する機能であり、前記器具収容部は、前記少なくとも吐出部を収容するものとしてもよい。この医療用器具保持装置は、医療用の器具における液体を吐出する機能に関連した連携を実現することができる。
【００１３】
（３）例えば、前記連携部は、前記器具収容部に収容された前記器具の少なくとも前記液体の吐出部を洗浄する洗浄装置とすることができる。こうすれば、医療用の器具の吐出部を医療用器具保持装置に収容したとき、吐出部を洗浄することができ、術中において、器具を清浄に保つことができる。
【００１４】
（４）あるいは、前記連携部は、前記器具収容部内の液体を排出する液体排出装置を備えるものとしてもよい。こうすれば、医療用器具保持装置は、液体を吐出する医療用の器具の機能に関連して、流れ出た液体を装置の外部に排出することができる。
【００１５】
（５）また、前記連携部は、前記器具収容部内の前記器具から漏出した液体を吸着する高分子ポリマーを備えるものとしてもよい。高分子ポリマーは、自己の体積より遙かに多い量の液体を吸着することができるので、漏出した液体を排出する機構を設けなくても、器具からの液体の漏出に対処することができる。医療用の器具は、原則として使い捨てなので、１回の手術などに使用する際に漏出する液体を吸着することは容易である。
【００１６】
（６）こうした医療用器具保持装置において、前記連携部は、前記器具収容部に前記医療用器具が収容されたとき、外部に信号を出力する信号出力部を備えるものとしてもよい。かかる医療用器具保持装置では、器具収容部に医療用の器具が収容されたときに外部に信号を出力するので、この信号を用いて、種々の対応が可能となる。例えば、上記の洗浄において、外部から洗浄液を供給・排出してもよい。あるいは外部において、医療用の器具の状態をモニタリングするのに用いてもよい。
【００１７】
（７）前記連携部は、前記器具収容部に収容された前記器具側に設けられた認識装置に、前記器具の一部が前記器具収容部に収容されたことを認識させる作動部を備えるものとしてもよい。こうした医療用器具保持装置では、器具側に、器具の一部が器具収容部に収容されたことを認識させることができるので、器具を器具収容装置に収容した状態で、使用のための前処置などを行なわせることができる。前処置とは、例えば液体を吐出する器具において、予め器具内部に液体を満たすような処理であったり、配管に溜ったエアーを、使用に備えて抜いておくエアー抜きの処理であったりすることができる。もとより、電気メスなど他の器具においても、使用に先立って必要になる、あるいは確認する通電や電圧調整などの処理を行なうものとしてもよい。
【００１８】
（８）こうした医療用器具保持装置において、前記連携部は、前記器具収容部に収容された前記器具との間で、前記医療用器具保持装置の種別および個体の少なくとも一方を認識させるデータをやり取りするデータ部を備えるものとしてもよい。かかる医療用器具保持装置では、データをやり取りするので、医療用の器具と医療用器具保持装置とが正しい組合せになっているかとか、不適切な再利用となっていないか、などの確認を行なうことができる。
【００１９】
（９）上述した医療用器具保持装置において、前記連携部は、前記器具収容部に収容された前記器具を加熱および冷却の少なくとも一方を行なう部材を備えるものとしてもよい。こうすれば、必要に応じて、器具を加熱したり冷却したりすることができる。
【００２０】
（１０）医療用器具保持装置では、手術などで汚染されたものが再利用されてはならないから、前記医療用器具保持装置の使用前には、前記器具収容部の入口を覆う皮膜を備えた構成とし、再利用されていない新規な医療用器具保持装置であることが、外から視認できるようにすることも差し支えない。皮膜の内部を予め減菌または滅菌しておけば、使用時まで、医療用器具保持装置を清浄に保つことができる。
【００２１】
（１１）こうした観点にたって、医療用器具保持装置を、前記医療用の器具と共に滅菌包装しておくことも差し支えない。こうすれば、医療用器具保持装置と器具とを、術前まで清浄に保っておくことができる。しかも、医療用器具保持装置が未使用であることを明確にすることも可能である。なお、前記医療用の器具の前記一部が前記器具収容部に収容された状態で袋に入れて滅菌してもよい。また、医療用器具保持装置だけを袋に入れて、減菌しておくことも差し支えない。
【００２２】
（１２）こうした医療用器具保持装置において、前記医療用の器具に設けられた取り替え可能な取替部材を交換するために、少なくとも前記取替部材の先端を含む部分を収容する取替収容部と、前記取替収容部に収容された取替部材を前記器具から取り外す取外部とを備えるものとしてもよい。この医療用器具保持装置では、医療用の器具の選択に設けられた取替部材を、医療用器具保持装置を用いて容易に取り外すことができる。特に、操作者が取替えのために、他の部材に触る必要がないので、取替部材の取り外しをより安全に行なうことができる。
【００２３】
（１３）ここで、更に、前記取り外された取替部材に代えて前記器具に装着される新たな取替部材と、前記新たな取替部材を前記器具に装着可能に収容した取替部材装着部とを備えるものとしてもよい。こうすれば、医療用器具保持装置を用いて、取替部材を新たな部材に取り替えることができる。その際、操作者が他の部材に触る必要がないので、取替部材の取替えをより安全に行なうことができる。
【００２４】
（１４）医療用器具保持装置に、医療用の器具として、液体噴射装置の少なくとも一部が収容されたときに、上記の連携部の機能により、液体噴射装置側で、液体室内の液体を排出する所定の排出動作を実行させるようにすることができる。液体と共に、液体室内の気体が排出されるため、液体室内の気体を排出する作業を操作者が行なう必要がない。したがって、操作者の負担を軽減することが可能となる。また、操作者が液体噴射装置を保持しないとき（液体の噴射を行なわないとき）に医療用器具保持装置に液体噴射装置を保持させておき、次に液体噴射装置を保持して液体の噴射を行なうときまでの間、液体室内の液体を排出する所定の排出動作が行なわせるものとしてもよい。その結果、常に、液体室内の気体を排出した状態に保つことができ、操作者は、液体噴射装置を使用したいと考えたとき、直ちに液体の噴射を行うことが可能となる。なお、こうした液体の排出動作は、連続的に行なってもよいし、間歇的に、何秒とか、何十秒とかに１回の割合で行なうものとしてもよい。
【００２５】
（１５）また、液体噴射装置が最初に医療用器具保持装置に保持された場合には、液体噴射装置に液体を供給する液体供給手段を、所定の時間、動作させることとしてもよい。こうすれば、所定の時間を適切に設定しておくことで、液体噴射装置が、医療用器具保持装置に保持されたときに、液体の初期充填作業を行なって、液体噴射装置をすぐに使用可能な状態としておくことが可能となる。
【００２６】
（１６）更に、上述した医療用器具保持装置において、液体噴出装置のそのズルから液体を吸引する手段を設けることも差し支えない。このように医療用器具保持装置に吸引手段を設けておけば、液体噴射装置のノズルから強力に液体を吸い出すことができる。その結果、ノズルが目詰まりした場合であっても、目詰まりを解消することが可能となる。
【図面の簡単な説明】
【００２７】
【図１】本発明の第１実施形態の医療用器具保持装置であるスタンドに液体噴射装置を装着した状態を示す説明図である。
【図２】本実施形態の液体噴射装置の概略構成と、液体の流れを示した説明図である。
【図３】スタンドの詳細な構造を示した断面図である。
【図４】液体噴射装置が液体を噴射する動作を示した説明図である。
【図５】制御部で行なわれる液体排出処理のフローチャートである。
【図６】液体噴射装置がスタンドにセットされた時に第１スイッチがＯＮとなる様子を示した説明図である。
【図７】第２実施形態の液体噴射装置とスタンドの構成を大まかに示した説明図である。
【図８】第３実施形態のスタンドの構造を示した断面図である。
【図９】第３実施形態の変形例を示す断面図である。
【図１０】第４実施形態として、洗浄を行なうスタンドの構造を示した断面視により示した説明図である。
【図１１】第５実施形態として、加熱および冷却が可能なスタンドの構造を断面視により示した説明図である。
【図１２】第６実施形態のスタンドの構造を断面視により示した説明図である。
【図１３】第６実施形態のスタンドと液体噴射装置とのデータ交換様子を示すフローチャートである。
【図１４】第６実施形態の変形例について示すフローチャートである。
【図１５】第７実施形態のスタンドの構成を断面視により示した説明図である。
【図１６】第８実施形態のスタンドの構造を断面視により示した説明図である。
【図１７】第９実施形態のスタンドおよび液体噴射装置の提供の形態を示した説明図である。
【図１８】第９実施形態の提供方法を示す工程図である。
【図１９】第１０実施形態のスタンドの構造を断面視により示した説明図である。
【図２０】第１０実施形態のスタンドの使用状態を示した説明図である。
【図２１】第１１実施形態のスタンドの形態を例示する説明図である。
【図２２】他の実施形態を例示する説明図である。
【発明を実施するための形態】
【００２８】
上述した本願発明について、第１ないし第１１実施形態を挙げて、説明する。なお、共通の部材には、共通の番号を付した。また、１つの実施形態で示した構造や制御は、他の実施形態にも適用可能である。
【００２９】
（１）第１実施形態：
＜装置の構成＞
図１は、本発明の第１実施形態の医療用器具保持装置としてのスタンド５００に、液体噴射装置１００を装着した様子を示す概略構成図である。図示するように、液体噴射装置１００は、電気系では制御部４００とケーブルＣＢＬを介して接続され、流体系では液体容器２２０と排液容器３２０とそれぞれチューブを介して接続されている。液体の供給・排出は、制御部４００により動作が制御されている送液ポンプ２００，吸引ポンプ３００によって行なわれる。液体噴射装置１００と制御部４００との信号のやり取りや、制御部４００の制御による液体と供給・排出については、あとで詳しく説明する。かかる液体噴射装置１００と制御部４００、液体の供給・排出を行なう構成まで含んだ全体構成を、燃料噴射装置システム１０と呼ぶ。
【００３０】
次に、液体噴射装置システム１０の構造について、図２を基づいて説明する。図示するように、液体噴射装置システム１０は、水や生理食塩水などの液体を生物組織に向けて噴射することで、生物組織を切開あるいは切除する手術に用いられるものである。システム１０を構成する液体噴射装置１００は、操作者が手に持って操作して液体を噴射するハンドピースである。この液体噴射装置１００には、液体を供給する送液ポンプ２００が第２接続チューブ２１２を介して接続されている。送液ポンプ２００には第１接続チューブ２１０が接続され、液体容器２２０から、液体噴射装置１００が噴射する液体を汲み上げ可能とされている。また、液体噴射装置１００には、吸引ポンプ３００が第３接続チューブ３１０を介して接続されている。吸引ポンプ３００が吸引した液体は、第４接続チューブ３１２を介して、排液容器３２０に排出される。
【００３１】
液体噴射装置１００は、大まかには本体部１１０と、本体部１１０に立設された液体噴射管１２０および吸引管１３０などから構成されている。液体噴射管１２０の先端にはノズル１２４が形成されている。ノズル１２４は、液体噴射管１２０の噴射流路１２２および本体部１１０の内部流路を介して本体部１１０の液体室１１２に接続されている。液体室１１２は、本体部１１０の内部流路および第２接続チューブ２１２を介して送液ポンプ２００に接続されている。送液ポンプ２００は、第１接続チューブ２１０を介して液体容器２２０に接続されており、液体容器２２０から吸い上げた液体を、第２接続チューブ２１２を介して液体噴射装置１００の液体室１１２に供給する。また液体室１１２は、一部が金属製のダイアフラム１１４で構成されており、液体室１１２の外側からダイアフラム１１４に当接させた状態で、圧電素子１１６が設けられている。詳細には後述するが、圧電素子１１６に駆動信号を印加すると、液体室１１２内の液体がノズル１２４からパルス状に噴射される。
【００３２】
液体噴射管１２０の外側には、吸引管１３０が設けられている。吸引管１３０は、液体噴射管１２０よりも一回り大きな径の管であり、その内側には、所定長さに亘って、液体噴射管１２０が収容される。吸引管１３０の先端には、吸引開口部１３４が形成されており、吸引開口部１３４は、吸引管１３０の吸引流路１３２および本体部１１０の内部流路および第３接続チューブ３１０を介して吸引ポンプ３００に接続されている。ノズル１２４から生物組織に液体を噴射している間は、吸引ポンプ３００を駆動することにより、術部に溜まった液体を吸引開口部１３４から吸引流路１３２を介して吸引する。
【００３３】
本実施例の液体噴射装置１００には、本体部１１０の先端側、即ち液体噴射管１２０や吸引管１３０が設けられた側の端部に、２つのスイッチ（第１スイッチＳＷ１，第２スイッチＳＷ２）が設けられている。第１スイッチＳＷ１および第２スイッチＳＷ２からは、検出信号が制御部４００に出力されて、これらのスイッチの状態を制御部４００が把握できるようになっている。第１スイッチＳＷ１および第２スイッチＳＷ２を設けておく理由については後述する。
【００３４】
図３は、本実施例のスタンド５００の詳細な構造を示した断面図である。なお、図３では、スタンド５００にセットされる途中の液体噴射装置１００は、破線によって表されている。
【００３５】
図示されているように、本実施例のスタンド５００の内部には、液体噴射装置１００の吸引管１３０および本体部１１０の一部が収容される収容通路５１０が形成されている。また、収容通路５１０の下方（奥側）には、液体噴射装置１００のノズル１２４から流出した液体を溜めておくための空間（液体溜部５２０）が形成されている。収容通路５１０の吸引管１３０が挿入される部分の内壁にはゴム製のシール部５１２が設けられており、吸引管１３０が挿入されると、吸引管１３０の外周と収容通路５１０との間の隙間がシール部５１２で塞がれて、液体溜部５２０が密閉される。
【００３６】
収容通路５１０の本体部１１０が挿入される部分には、液体噴射装置１００の第１スイッチＳＷ１に対応する位置に凸部５１４が設けられている。また、液体噴射装置１００の第２スイッチＳＷ２に対応する位置にはピン５１６が設けられている。ピン５１６は、細い連結部材を介して収容通路５１０の内壁に連結されている。更に、ピン５１６が連結された位置よりも下側の位置には、収容通路５１０の内壁が貫通する貫通部５１８が設けられている。液体噴射装置１００の本体部１１０がピン５１６の先端と向かい合う位置には、ピン５１６とほぼ同径の連通路１１８が設けられており、この連通路１１８の奥に、第２スイッチＳＷ２が設けられている。
【００３７】
次に、液体噴射装置１００がノズル１２４から液体を噴射する動作原理について説明する。図４の（ａ）に示したように、送液ポンプ２００が動作すると、液体室１１２は、送液ポンプ２００から供給された液体で満たされる。この状態では、圧電素子１１６は駆動しておらず、ノズル１２４から液体は噴射されていない。図中では、液体室１１２に斜線を付すことによって、液体室１１２が液体で満たされていることを表している。
【００３８】
続いて、圧電素子１１６に駆動電圧を印加する。すると、圧電素子１１６は伸長する方向に変形し、ダイアフラム１１４を変形させて、液体室１１２の容積を減少させようとする。その結果、図４の（ｂ）に示したように、液体室１１２の液体が加圧されて、噴射流路１２２を介して、ノズル１２４から噴射される。圧電素子１１６の変形動作は、短時間のうちに、かつ所定の長さまで伸びて完了するから、圧電素子１１６の変形による液体室１１２の容積の縮小分に見合った量の液体が、ノズル１２４から噴出すると、液体の噴出は停止する。したがって、ノズル１２４からの液体の噴出はパルス状となる。
【００３９】
こうしてパルス状の液体を噴射したら、圧電素子１１６に印加した電圧を取り除く。すると、変形していた圧電素子１１６が元の長さに復帰し、それに伴って減少していた液体室１１２の容積が元の容積に復帰する。その動きと共に、送液ポンプ２００から液体室１１２に液体が供給される結果、液体室１１２は、図４の（ａ）に示した状態、即ち圧電素子１１６を駆動する前の状態に復帰する。この状態から再び圧電素子１１６に駆動電圧を印加すると、図４の（ｂ）に示したように圧電素子１１６が変形して、液体室１１２の液体がノズル１２４からパルス状に噴射される。液体噴射装置システム１０では、制御部４００が、所定周波数のパルス電圧を圧電素子１１６に印加するから、ノズル１２４からも、印加電圧の上記周波数に対応した繰り返しレートで、パルス状に液体が噴射される。なお、印加される電圧は、電圧印加の際の時間（立ち上がり時間）が短く、電圧を取り去る際の時間（立ち下がりの時間）が長いという特性を備えている。
【００４０】
以上説明したのは、操作者がハンドピースである液体噴射装置１００を持ち、実際に手術などを行なう際の動作である。他方、液体噴射装置１００では、その使用に先立って、液体室１１２を液体で満たしておく必要がある。また、液体室１１２などに気泡が溜った場合、ダイアフラム１１６による液体の圧縮・吐出が阻害されるので、気泡を取り除く必要がある。前者を、初期充填作業といい、後者を気泡排出作業という。本実施形態では、スタンド５００を用いて、これらの処理を行なうことができる。以下、この点について説明する。
【００４１】
＜液体排出処理＞
図５は、制御部４００が実行する液体排出処理のフローチャートである。この処理は、液体噴射装置システム１０の操作者が液体噴射装置システム１０を起動すると開始され、液体噴射装置システム１０の運転が終了されるまで実行される。液体排出処理が開始されると、まず初めに、第１スイッチＳＷ１がＯＮか否かを判断する（ステップＳ１００）。
【００４２】
図６は、液体噴射装置１００がスタンド５００にセットされたときに、第１，第２スイッチＳＷ１が操作される様子を示した説明図である。図６では、液体噴射装置１００が初めてスタンド５００にセットされたとき（以下、初回セット時と呼ぶ）の様子が示されている。
【００４３】
図６の（ａ）欄に示したように、スタンド５００の収容通路５１０には、液体噴射装置１００の第１スイッチＳＷ１に対応する位置に凸部５１４が設けられており、液体噴射装置１００の第２スイッチＳＷ２に対応する位置にピン５１６が設けられている。このため、液体噴射装置１００をスタンド５００にセットすると、図６の欄（ｂ）に示したように、凸部５１４に押されて第１スイッチＳＷ１がＯＮとなり、液体噴射装置１００の連通路１１８に挿通されたピン５１６の先端に押されて第２スイッチＳＷ２がＯＮとなる。
【００４４】
ここで、スタンド５００に液体噴射装置が一度セットされると、ピン５１６と収容通路５１０の内壁とを連結する連結部材が切断される（図６の欄（ｂ）を参照）。この状態で液体噴射装置１００をスタンド５００から取り外すと、図６の欄（ｃ）に示されるように、連通路１１８からピン５１６が抜けて、貫通部５１８から落下する。その結果、再びスタンド５００に液体噴射装置１００がセットされたとき（以下、再度セット時と呼ぶ）には、第２スイッチＳＷ２はＯＮにはならず、第１スイッチＳＷ１のみがＯＮとなる。
【００４５】
実施例では、スタンド５００に液体噴射装置が一度セットされると収容通路５１０のピン５１６が無くなる構造とすることで、再度セット時には第２スイッチＳＷ２がＯＮにならなくなるものと説明した。しかし、初回セット時には第１スイッチＳＷ１がＯＮとなるとともに第２スイッチＳＷ２がＯＮとなり、再度セット時には第２スイッチＳＷ２がＯＮにはならず、第１スイッチＳＷ１のみがＯＮとなる構造であれば、本実施例の構造に限られるものではない。したがって、例えばスタンド５００に液体噴射装置１００がセットされたときにピン５１６が押圧され、押圧されたピン５１６が再び押圧される前の状態に戻らない構造であってもよい。あるいは液体噴射装置１００側で連通路１１８が閉塞されなどの形態変化が生じて、第２スイッチＳＷ２がＯＮとならない構造を採用してもよい。更に、制御部４０が、電源投入時から最初の第２スイッチＳＷ２のＯＮを記憶し、二度目以降のＯＮを無視するようにしてもよい。
【００４６】
このように、液体噴射装置１００の第１スイッチＳＷ１は、初回セット時であるか再度セット時であるかに関わらず、液体噴射装置１００がスタンド５００にセットされるとＯＮになる。そこで、図５に示した本実施例の液体排出処理では、処理を開始すると、最初に、第１スイッチＳＷ１がＯＮか否かを判断することによって、液体噴射装置１００がスタンド５００にセットされたか否かを判断する（ステップＳ１００）。そして、第１スイッチＳＷ１がＯＮである（液体噴射装置１００がスタンド５００にセットされた）と判断すると（ステップＳ１００：ｙｅｓ）、続いて液体噴射装置１００の第２スイッチＳＷ２がＯＮかＯＦＦかを判断する（ステップＳ１０２）。
【００４７】
前述したように、液体噴射装置１００の第２スイッチＳＷ２は、液体噴射装置１００の初回セット時にのみＯＮとなる（図６を参照）。そこで、本実施例の液体排出処理では、液体噴射装置１００の第１スイッチＳＷ１がＯＮであり、かつ、第２スイッチＳＷ２もＯＮである（ステップＳ１００：ｙｅｓ，ステップＳ１０２：ｙｅｓ）場合には、今回が初回セット時である（液体噴射装置１００の液体室１１２が空である）と判断して、液体室１１２の初期充填作業を行なう。
【００４８】
初期充填作業を行なう場合には、まず、初期充填時用の第１条件（吸引量：大）で吸引ポンプ３００を駆動しておき（ステップＳ１０４）、この状態で、送液ポンプ２００を駆動する（ステップＳ１０６）。送液ポンプ２００の駆動は、生物組織の切除および切開に用いる流量以上の大流量（本実施例では、毎分３０ｍｌ）で、液体室１１２に液体を供給するように行なう。このとき、液体溜部５２０は、液体噴射装置の挿入箇所だけが開口しており、液体溜部５２０に流出した液体が吸引開口部１３４から吸い出されるので、スタンド５００から液体が溢れ出すことがない。こうして液体室１１２に液体を供給し始めてから所定の第１時間が経過するまで（ステップＳ１０８：ｎｏ）の間は、液体の供給を継続する。そして、所定の第１時間が経過したら（ステップＳ１０８：ｙｅｓ）、初期充填作業は完了したものと判断して、引き続き、液体排出作業の処理（ステップＳ１１０以下）に移行する。
【００４９】
液体排出作業は、所定の第２時間、ノズル１２４からパルス状に液体を噴射（脈流噴射）することによって行なう。このために、吸引ポンプ３００の駆動条件を液体排出時用の第２条件（吸引量：中）に変更し（ステップＳ１１０）、送液ポンプ２００の液体の流量を、噴射時の流量（本実施例では、毎分１０ｍｌ）に変更する（ステップＳ１１２）。そして、圧電素子１１６に駆動電圧を印加することによって、脈流噴射を開始する（ステップＳ１１４）。脈流噴射を行なっている間も吸引ポンプ３００は駆動しているので、液体溜部５２０に噴射された液体は吸引開口部１３４から吸い出される。
【００５０】
上述した初期充填作業では、液体噴射装置１００の使用を開始するまでの準備期間を短縮するために送液ポンプ２００の流量を多くしているが、液体排出作業では、初期充填時より送液ポンプ２００の流量を少なくしている。このため、液体噴射装置１００内部の流体の流速が早くなり過ぎて、液体噴射装置１００の内部の端部等に気泡が定着して液体噴射装置１００から排出されない、といった事態が生じる可能性を抑制できる。送液ポンプ２００の流量を少なくすることで、液体噴射装置１００内部の端部等の気泡を排出しやすくしているのである。
【００５１】
こうして脈流噴射を開始したら、所定時間が経過するまで（ステップＳ１１６：ｎｏ）の間は脈流噴射を継続する。そして、所定時間が経過したら（ステップＳ１１６：ｙｅｓ）、脈流噴射を終了し（ステップＳ１１８）、送液ポンプ２００および吸引ポンプ３００を停止して（ステップＳ１２０，ステップＳ１２２）、気泡を排出するための液体排出作業を終了する。
【００５２】
液体排出作業を終了したら、液体噴射装置１００の第１スイッチＳＷ１がＯＮか否かを判断する（ステップＳ１２４）。液体噴射装置１００がスタンド５００にセットされたままであれば、第１スイッチＳＷ１がＯＮである（ステップＳ１２４：ｎｏ）と判断され続けて、待機状態となる。やがて、液体噴射装置１００がスタンド５００から取り外されて、第１スイッチＳＷ１がＯＦＦになると（ステップＳ１２４：ｙｅｓ）、液体排出処理の先頭に戻って、液体噴射装置１００がスタンド５００に再びセットされたか否かを判断する（ステップＳ１００）。
【００５３】
液体噴射装置１００が再びスタンド５００にセットされると、第１スイッチＳＷ１がＯＮ（ステップＳ１００：ｙｅｓ）となるが、第２スイッチＳＷ２をＯＮにするピン５１６は無くなっているので、第２スイッチＳＷ２はＯＦＦのままである（ステップＳ１０２：ｎｏ）。この場合、初期充填作業（ステップＳ１０４，ステップＳ１０６，ステップＳ１０８）は行なわず、気泡を排出するための液体排出時の第２条件で吸引ポンプ３００を駆動し（ステップＳ１１０）、送液ポンプ２００を駆動する。そして、液体室１１２に液体を供給しながら（ステップＳ１１２）、脈流噴射を開始（ステップＳ１１４）して気泡を排出するための液体排出作業を行なう。脈流噴射を開始してから所定時間が経過したら（ステップＳ１１６：ｙｅｓ）、脈流噴射を終了し（ステップＳ１１８）、送液ポンプ２００および吸引ポンプ３００を停止する（ステップＳ１２０，ステップＳ１２２）。この状態で、液体噴射装置１００がスタンド５００から取り外されるまで（第１スイッチＳＷ１がＯＦＦとなるまで）待機状態となる。そして、液体噴射装置１００の第１スイッチＳＷ１がＯＦＦとなったら（ステップＳ１２４：ｙｅｓ）、液体排出処理の先頭に戻る。以下、液体噴射装置システム１０の運転が終了するまで同様の処理を繰り返す。
【００５４】
このように本実施形態のスタンド５００では、液体噴射装置１００をセットするだけで、液体噴射装置システム１０に対して、初期充填作業や気泡を排出するための液体排出作業を自動的に行なわせることができる。したがって、操作者は、スタンド５００を利用すれば、こうした各作業を手動で行なう必要がないので、操作者の負担を軽減することができる。また、術中などに液体噴射装置１００をスタンド５００に戻しておけば、その間に気泡を排出するための液体排出作業を行なわせるので、液体噴射装置１００の操作を再開するときには、良好な状態（液体室の気泡を排出した状態）で操作を再開することが可能となる。
【００５５】
また、初期充填作業や気泡を排出するための液体排出作業を行なった際にノズル１２４からスタンド５００の液体溜部５２０に流出した液体は、液体噴射装置１００に接続された吸引ポンプ３００によって吸い出される。このため、スタンド５００には、液体溜部５２０に溜まった液体を外部に排出するための通路などを設けなくてもよいので、スタンド５００の構造を簡単にすることができる。更に、図２を用いて前述したように、液体噴射装置１００をスタンド５００にセットした状態では、吸引管１３０の外周とスタンド５００の収容通路５１０との間の隙間がシール部５１２で塞がれて、液体溜部５２０が密閉される。この状態で、初期充填作業や気泡を排出するための液体排出作業を行なうと、吸引ポンプ３００の吸引力によって液体溜部５２０内が負圧となり、この負圧でノズル１２４から液体溜部５２０に液体が吸い出される。したがって、液体噴射装置１００が液体を噴射する力および送液ポンプが液体を圧送する力だけでなく、吸引ポンプ３００の吸引力を利用して、初期充填作業や気泡を排出するための液体排出作業を行なうことが可能となる。
【００５６】
加えて、本実施形態のスタンド５００では、液体噴射装置１００が初めてセットされた場合にのみ、液体室１１２の初期充填作業を行なわせるものとなっている。このため、初期充填作業を行なうとき（液体噴射装置１００の使用を開始するとき）には、未使用のスタンド５００を用意する必要があるので、使用済みのスタンド５００に液体噴射装置１００をセットして用いることが抑制され、液体噴射装置１００を衛生的に保つことができる。よって、本実施形態のスタンド５００を医療機器として用いることは、感染防止の観点から好適である。
【００５７】
（２）第２実施形態：
以下、本発明の第２実施形態について説明する。説明では、上述した第１実施形態の液体噴射装置システム１０と異なる部分に焦点を当てて説明し、第１実施形態と同様な構成については、同じ番号を付すこととして説明を省略する。
【００５８】
図７は、第２実施形態としてのスタンド７００に、液体噴射装置６００が装着された様子を示す説明図である。図示したスタンド７００には、スタンド７００毎に固有の識別ＩＤが付されたＩＤ表示部７３０が設けられている。そして、液体噴射装置６００には、スタンド７００にセットされたときにスタンド７００のＩＤ表示部７３０に対応する位置に、識別ＩＤを読み取る読取部６１０が設けられている。読取部６１０が読み取ったデータは、ケーブルＣＢＬを介して、制御部４００に送信される。
【００５９】
第２実施形態のスタンド７００では、読取部６１０で読み取った識別ＩＤを制御部４００に出力し、制御部４００において、過去に読み取った識別ＩＤとが同一のものか否かを制御部４００に判断させることができる。このようにしても、液体噴射装置６００がスタンド７００に初めてセットされたか否かを判断することができるので、第１実施形態のスタンド５００と同様に、初めてスタンド７００にセットされたときと、２度目以降にセットされたときとで、液体噴射装置１００において実行する液体排出処理の内容を変更させることが可能である。
【００６０】
かかる構成によれば、スタンド７００に液体噴射装置１００が装着されたのが初回か、二度目以降かを、可動部なしで検出することができるので、動作が一層確実なものとなる。
【００６１】
（３）第３実施形態：
次に本発明の第３実施形態について説明する。第３実施形態としてのスタンド８００の概略構成を、図８に示す。第３実施形態のスタンド８００は、図示するように、液体溜部８２０を備える。この液体溜部８２０は、排出通路８２２、および第１排液チューブ８２４を介してスタンド側吸引ポンプ８２６に接続されている。また、スタンド側吸引ポンプ８２６は、第２排液チューブ８２８を介して、液体噴射装置１００側の吸引ポンプ３００で吸引した液体が収容される排液容器３２０（図２を参照）に接続されている。
【００６２】
このようにスタンド８００にスタンド側吸引ポンプ８２６を設けておけば、スタンド側吸引ポンプ８２６を用いて、初期充填作業時や気泡を排出するための液体排出作業時に液体溜部５２０に流出した液体を吸引することができる。また、スタンド８００に液体噴射装置１００を挿入した状態でスタンド側吸引ポンプ８２６を駆動すれば、液体噴射装置１００に接続された吸引ポンプ３００による場合よりも大きな負圧を発生させて、ノズル１２４から液体を吸い出すことができる。したがって、たとえノズル１２４が目詰まりした場合でも、目詰まりを解消することが可能となる。
【００６３】
本実施形態では、スタンド側吸引ポンプ８２６で吸い出した排液は、排液容器３２０に排出したが、独立した他の容器に排出するものとしてもよい。またスタンド側吸引ポンプ８２６は、制御部４００からの信号を受けて駆動してもよいし、液体噴射装置１００が装着されたことを直接検出するスイッチやセンサをスタンド８００に設け、このスイッチなどの出力を用いて、直接、スタンド側吸引ポンプ８２６を駆動するものとしてもよい。また、スタンド８００に、手動操作可能なスイッチを設け、スタンド８００に液体噴射装置１００を装着した状態で、このスイッチを操作すると、スタンド側吸引ポンプ８２６を駆動して大きな負圧を発生させ、上述した目詰まり解消動作をさせるものとしてもよい。
【００６４】
＜変形例＞
上記の実施形態では、液体溜部８２０に溜った液体は、スタンド側吸引ポンプ８２６で吸引し、外部に排出するものとしたが、外部に排出しない構成とすることも可能である。例えば、図９に示すように、液体溜部８３０に、ポリアクリル酸ナトリウム系の高吸水性ポリマー８３５を配置し、液体噴射装置１００から漏出ないし噴射した液体を、高吸水性ポリマー８３５に吸着するものとしてもよい。高吸収性ポリマー８３５としては、ポリアクリル酸ナトリウム系に限られるものではなく、吸水性の高いポリマーであればよく、ポリビニルアルコール、ポリエチレングリコールなど、水溶性モノマーを重合した樹脂などであってもよい。
【００６５】
この変形例によれば、液体噴射装置１００から排出した液体をスタンド８４０の内部に閉じ込め、手術の終了後にスタンド８４０ごと廃棄すればよく、一層衛生的である。また、排液は、高吸水性ポリマー８３５に吸着しているので、スタンド８４０が傾いたり転倒したりしても、排液が液体噴射装置１００に触れことがない。この点でも衛生的である。なお、高吸水性ポリマー８３５が液体溜部８３０内で動いたりばらついたりしないように、ネットやメッシュ８３１で押えておくことも有効である。
【００６６】
（４）第４実施形態：
次に本発明の第４実施形態について説明する。図１０は、第４実施形態のスタンド８５０の内部構造を断面視のように示す説明図である。このスタンド８５０は、筐体８５３に、第１実施形態等と同様に、液体噴射装置１４０を収容する挿入通路を備える。本実施形態のスタンド８５０は、この収容通路８５２内に、洗浄ノズル８６０を備える。洗浄ノズル８６０は、収容通路８５２に収容された液体噴射装置１４０の吸引管を取り囲むように配置されている。この洗浄ノズル８６０には、通路８７１を介して洗浄ポンプ８７０が接続され、洗浄ポンプ８７０は、洗浄液タンク８７２から洗浄液を汲み出し、洗浄ノズル８６０に向けて圧送することができる。
【００６７】
この洗浄ポンプ８７０は、スタンド８５０内に収容された電子制御装置（ＥＣＵ）８８０により、オン・オフが制御される。ＥＣＵ８８０や洗浄ポンプ８７０は、図示しない電源の供給を受けて動作するが、これらの電源は、スタンド８５０内に収容した使い捨て電源としてもよいし、外部から供給するものとしてもよい。スタンド８５０には、更に、液体噴射装置１４０の装着を検出するセンサ８８２および手動スイッチ８８５が設けられている。このうちセンサ８８２は、液体噴射装置１４０に設けられた磁石１４２により動作するホール素子であり、液体噴射装置１４０が収容通路８５２に挿入されると、磁石１４２の磁力によりオンとなる。このセンサ８８２と手動スイッチ８８５は、共にＥＣＵ８８０に接続されている。ＥＣＵ８８０は、図示しないＣＰＵ、フラッシュＲＯＭ、ＲＡＭなどを内蔵し、予めＲＯＭに書き込まれたプログラムを繰り返し実行することにより、以下の動作を実現する。
【００６８】
スタンド８５０の使用が開始され、最初に液体噴射装置１４０が収容通路８５２に装着されると、センサ８８２はオンになる。すると、ＥＣＵ８８０は、センサ８８２がオンになったことを検出し、短時間、洗浄ポンプ８７０を駆動して、洗浄液を洗浄ノズル８６０から噴射し、液体噴射装置１４０の吸引管１４５などを洗浄する。この動作は数秒で終了する。その後、液体噴射装置１４０がスタンド８５０から取り出され、その後、スタンド８５０に戻される度に、同様に、短時間、洗浄ポンプ８７０を駆動して、洗浄を行なう。
【００６９】
他方、液体噴射装置１４０をスタンド８５０に装着した状態で、手動スイッチ８８５を使用者が操作（オン）すると、ＥＣＵ８８０は、これを検出し、手動スイッチ８８５がオンである間、洗浄ポンプ８７０を駆動し、洗浄液を洗浄ノズル８６０が噴射して、液体噴射装置１４０の洗浄を行なう。
【００７０】
以上説明した第４実施形態によれば、液体噴射装置１４０をスタンド８５０に装着する度に液体噴射装置１４０の先端や吸引管１４５を洗浄することができ、液体噴射装置１４０の噴射ノズルを含む先端の部位を清浄に保つことができる。また手動で洗浄動作をさせることもでき、特に汚れがひどい場合などに、手動スイッチ８８５を操作して、液体噴射装置１４０を洗浄することができる。なお、洗浄に用いた洗浄液は、第３実施形態のように、別のポンプで外部に排出してもよいし、第３実施形態の変形例のように、高吸水性ポリマーなどに吸着させても良い。また、洗浄用ポンプ８７０や洗浄液タンク８７２は、スタンド８５０内に予め用意してもよいし、外部に用意し、制御信号線を接続して、スタンド８５０内のＥＣＵ８８０により制御するものとしてもよい。
【００７１】
（５）第５実施形態：
次に本発明の第５実施形態について説明する。第５実施形態のスタンド９００は、第１実施形態のスタンド５００とほぼ同様の形状を有する。第５実施形態のスタンド９００は、液体噴射装置１５０を収容する収容通路９０６の外側に、ペルチェ素子９０１，９０２を備える。このペルチェ素子９０１，９０２は、筐体９０３に設けられた３ポジションのスライドスイッチ９０５を介して、スタンド９００内臓の直流電源９０４に接続されている。
【００７２】
ペルチェ素子９０１，９０２は、その両面に電極が設けられており、電極間に印加する電圧の向きにより、内側（収容通路側）から外側に熱を移動し、あるいはその逆方向に熱を移動する。直流電源９０４の正負極は、スライドスイッチ９０５の二つのコモン端子（ｃ端子）に接続されており、ａ端子、ｂ端子が各ペルチェ素子９０１，９０２の正負の電極に交叉するように接続されている。したがって、３ポジションのスライドスイッチ９０５をセンタ位置（ＯＦＦ位置）とすると、コモン端子はａ端子，ｂ端子のいずれにも接続されず、ペルチェ素子９０１，９０２には電圧は印加されない。したがって、このとき、ペルチェ素子９０１，９０２は熱の緯度を行なわない。
【００７３】
スライドスイッチ９０５のつまみを「冷」の位置に移動すると、コモン端子とａ端子との間が導通状態となり、ペルチェ素子９０１，９０２の各電極間には、内側から外側に熱が移動するように、直流電源９０４からの電圧が印加される。この結果、ペルチェ素子９０１，９０２の内側、つまり収容通路９０６側は、冷却されることになる。収容通路９０６に、液体噴射装置１５０が収容されていれば、吸引管、噴射ノズルなどが冷却される。
【００７４】
他方、スライドスイッチ９０５のつまみを「冷」とは逆の「温」の位置に移動すると、コモン端子とｂ端子との間が導通状態となり、ペルチェ素子９０１，９０２の各電極間には、外側から内側に熱が移動するように、直流電源９０４からの電圧が印加される。この結果、ペルチェ素子９０１，９０２の内側、つまり収容通路９０６側の温度は上昇することになる。収容通路９０６に、液体噴射装置１５０が収容されていれば、吸引管、噴射ノズルなどが加熱される。
【００７５】
以上説明した第５実施形態によれば、スライドスイッチ９０５を操作するだけで、スタンド９００に収容された液体噴射装置１５０を冷却したり、温めたりすることができる。したがって、手術対象である患者の状態、手術の態様に合わせた温度にして、液体噴射装置１５０を操作することができる。例えば、患者を低体温に維持して行なう手術などでは、液体噴射装置１５０を冷却しておけば、低体温状態を乱すことがない。なお、本実施形態では、直流電源９０４はスタンド９００に内蔵したが、電源は外部から供給するものとしてもよい。また、ペルチェ素子に代えて、サーマルポンプなどを用いてもよい。冷却のみ、加熱のみを行なう構成としてもよい。冷却のみであればスタンド９００内に保冷剤を収容し、術前に所定時間、スタンド９００を冷却庫に保管するものとしてもよい。加熱のみであれば、ヒーターを用いてもよいし、消石灰に水を加えて発熱させるという手法によってもよい。高周波加熱などを利用することも可能である。
【００７６】
（６）第６実施形態：
第６実施形態のスタンド９１０は、図１２に示すように、筐体９１３内にＥＣＵ９１４を備える。このＥＣＵ９１４には、通信用の通信カプラ９１１と表示部９１５が接続されている。ＥＣＵ９１４は、図示しない、ＣＰＵ、フラッシュＲＯＭ、ＲＡＭなどを内蔵していることは、第４実施形態と同様である。また、ＥＣＵ９１４は、通信カプラ９１１とはシリアル通信ポートを介して接続されている。通信カプラ９１１は、スタンド９１０の収容通路に設けられており、ここに液体噴射装置１６０が収容されると、液体噴射装置１６０側の通信カプラ９１２と通信可能な状態となる。両通信カプラ９１１−９１２間の通信は、光通信であってもよいし、電磁誘導などを用いたものであってもよい。もとより、複数の端子が直接電気的な接触して、通信可能となる構成でもよい。液体噴射装置１６０側の通信カプラ９１２は、制御部４１０に接続されている。したがって、スタンド９１０のＥＣＵ９１４は、第１実施形態に示した制御部４００と同様の機能を有する制御部４１０と通信することが可能となる。
【００７７】
そこで、ＥＣＵ９１４と制御部４１０との間のデータのやり取りについて、図１３を用いて説明する。図１３の左欄は、スタンド９１０内のＥＣＵ９１４が行なうスタンド側処理ルーチンを、右欄は、制御部４１０側が行なう制御部側処理ルーチンを、それぞれ示している。ＥＣＵ９１４は、スタンド９１０の使用が開始されると、まず、収容通路に液体噴射装置１６０が装着されるかを繰り返し検出している（ステップＳ６１０）。他方、制御部４１０は、電源が投入され液体噴射装置１６０が接続されると、液体噴射装置１６０が正常な機器かを確認する初期化の動作を行なった後、液体噴射装置１６０がスタンドにセットされたかを繰り返し検出している（ステップＳ６２０）。液体噴射装置１６０がスタンドにセットされ、収容通路に装着されたかは、本実施形態では、ＥＣＵ９１４と制御部４１０とが、通信カプラ９１１−９１２を介した通信が可能となったかにより検出している。もとより、ホール素子などのセンサを設けて、互いに検出してもよい。
【００７８】
収容通路に液体噴射装置１６０が装着されて、通信カプラを用いた通信が可能になると、ＥＣＵ９１４は、スタンドに割り当てられたＩＤを出力する処理を行なう（ステップＳ６１１）。ＩＤは、スタンド９１０を一つずつ識別可能な識別子であり、ＥＣＵ９１４に内蔵されたフラッシュＲＯＭに書き込まれている。通信カプラ９１１を介して出力されたＩＤは、制御部４１０によって受信される（ステップＳ６２１）。制御部４１０は、ＩＤを受信すると、受信したＩＤが、使用済みのＩＤであるか否かを判断する（ステップＳ６２３）。使用済みのＩＤか否かは、制御部４１０が記録したＩＤのリスト（過去に使用されたスタンドのＩＤのリスト）を照合することにより行なう。記録されたリストに同じＩＤがあれば、そのスタンドは過去に使用されたことになる。
【００７９】
制御部４１０は、受け取ったスタンドのＩＤが、使用済みのＩＤでないと判断した場合には（ステップＳ６２３，「ＮＯ」）、使用許可の通知を、スタンド９１０側に送信する（ステップＳ６２４）。他方、使用済みＩＤであると判断すると（ステップＳ６２３、「ＹＥＳ」）、警告を出力する（ステップＳ６２５）。警告の出力は、例えば制御部４１０から、「使用済みのスタンドが使用されています。直ちに使用を中止し、スタンドとハンドピースを新しいものに交換してください」と表示または音声出力することにより行なうことができる。警告するだけでなく、制御部４１０の全機能または液体噴射装置１６０の使用に関する機能を使用不能な状態としてもよい。
【００８０】
制御部４１０側から使用許可が送信されると（ステップＳ６２４）、スタンド９１０のＥＣＵ９１４は、これを受信し（ステップＳ６１２）、連携処理（ステップＳ９１３）を実行する。連携処理とは、スタンド９１０およびその収容通路に収容された液体噴射装置１６０が正常に使用できるものであることを前提として行なわれる処理であり、例えば、第１実施形態で説明した初期充填作業や気泡排出作業がこれに相当する。この他、第３実施形態で説明した噴射ノズルの吸引処理、第４実施形態で説明した洗浄動作や、第５実施形態で説明した冷却または加熱処理なども実施可能である。連携処理の実行時には、ＥＣＵ９１４は、その処理の内容を表示部９１５に表示してもよい。表示部９１５は、音声出力により表示内容を出力するものとしてもよい。
【００８１】
以上説明した第６実施形態のスタンド９１０では、液体噴射装置１６０が装着されると、スタンド９１０と制御部４１０とが通信可能となり、両者の間でデータを交換して処理を行なう。したがって、第１，第２実施形態と同様の効果を奏する上、更に両者の間でＩＤを交換して、より確実に使用済みのスタンドの使用を禁止することができる。また、スタンド９１０と制御部４１０とが連携を取って処理を行なうことができるという優れた効果を奏する。
【００８２】
＜変形例＞
上記実施形態の変形例について説明する。図１４は、変形例におけるスタンド側処理ルーチンと制御部側処理ルーチンを示すフローチャートである。上記第６実施形態では、ＩＤは、スタンド９１０側から送信したが、この変形例では、制御部４１０側からＩＤを出力する。即ち、スタンド側のＥＣＵ９１４は液体噴射装置１６０の装着をチェックし（ステップＳ６３０）、制御部４１０は液体噴射装置１６０のスタンドへの装着をチェックしている（ステップＳ６４０）。そして、液体噴射装置１６０がスタンド９１０に装着されて両者の通信が可能になると、制御部４１０側からスタンドのＩＤを出力する（ステップＳ６４１）。制御部４１０は、電源が投入されると、投入時の時刻に基づいて、新しいＩＤを生成し、これを出力する。したがって、ＩＤは、制御部４１０の１回の使用毎に、つまり１回の手術毎に、新たに生成されることになる。
【００８３】
スタンド９１０側のＥＣＵは、通信カプラ９１１を介してこのＩＤを受信し（ステップＳ６３１）、これをフラッシュＲＯＭに不揮発的に格納する（ステップＳ６３２）。続いて、スタンド９１０側のＥＣＵ９１４は、同一ＩＤが既にフラッシュＲＯＭに記憶されているかを判断する（ステップＳ６３３）。スタンド９１０のＥＣＵ９１４は、外部からＩＤを受け取ると、これを所定の領域に順次格納していく。次に、ＥＣＵ９１４は、今回受け取ったＩＤが、これまで受け取ったＩＤと同一か否かを判断する（ステップＳ６３３）。制御部４１０から出力されるＩＤは、１回の手術毎に同じものなので、同一ＩＤであれば、上記第６実施形態同様、連携処理を実行する（ステップＳ６３４）。
【００８４】
他方、同一のＩＤでなければ、既に一度使用されたスタンド９１０に新たな液体噴射装置１６０が接続されたことになるので、ＥＣＵ９１４は警告を出力し（ステップＳ６３５）、更にロック処理を行なう（ステップＳ６３６）。ロック処理とは、図示しないソレノイドを動作させ、液体噴射装置１６０をスタンド９１０から取り出せないようにロックする処理である。こうすることで、他の患者に使用されたスタンド９１０に誤って新たな液体噴射装置１６０が装着された場合、その液体噴射装置１６０を使用させないようにしているのである。
【００８５】
スタンド９１０が警告を出力すると（ステップＳ６３５）、通信カプラ９１１−９１２を介して、制御部４１０はこれを受信する（ステップＳ６４２）。そして制御部４１０は、警告処理を実行する（ステップＳ６４５）。警告処理とは、第６実施形態と同様に、「使用を中止してください」といった音声や表示による警告を使用者に認識可能とする処理である。なお、制御部の少なくとも一部の機能を停止して、液体噴射装置１６０を使用できない状態とすることも差し支えない。
【００８６】
この変形例によれば、第６実施形態と同様に、一度使用されたスタンド９１０を、再度別の患者の手術などに用いるという事態を確実に回避することができる。しかもこの変形例では、ＩＤを制御部４１０側で生成しているので、スタンド９１０側に１つ１つ異なるＩＤを付与しておく必要がない。つまり全く同じ構成のスタンドを量産しておくことができる。
【００８７】
（７）第７実施形態：
次に本発明の第７実施形態について、図１５を参照しつつ説明する。第７実施形態のスタンド９２０は、筐体９２３の内部にＥＣＵ９２４を備える点、筐体９２３表面に表示部９２５などを備える点では、第６実施形態と同様の構成を有する。また、このスタンド９２０は、液体噴射装置１７０の装着の有無を検出するセンサ９２１を備える。センサ９２１は、ホール素子を用いたものであり、液体噴射装置１７０側の磁石９２２によりオン状態となる。このセンサ９２１は、ＥＣＵ９２４に接続されている。したがって、ＥＣＵ９２４は、液体噴射装置１７０がスタンド９２０に装着されたことを検出することができる。
【００８８】
またＥＣＵ９２４は、筐体９２３に取り付けられた通信用のコネクタ９２７と通信用の信号線により接続されている。通信用コネクタ９２７には、外部の機器からの信号線を、コネクタ９２８を介して接続することができる。この実施形態では、液体噴射装置システムを構成する制御部４２０を接続している。
【００８９】
かかる構成を有する第７実施形態では、スタンド９２０は、液体噴射装置１７０の装着を検出し、これを直接外部の機器、ここでは制御部４２０に出力することができる。もとより、液体噴射装置１７０の装着だけでなく、他の制御信号やデータなどを制御部４２０とやり取りすることも可能である。この結果、スタンド９２０は、制御部４２０と連携した処理を実行することができる。例えば、図１に示したように、制御部４２０が送液ポンプ２００や吸引ポンプ３００に接続されていれば、液体噴射装置１７０の装着の有無を検出して、これらのポンプを制御することができる。このため、例えば、スタンド９２０に装着された液体噴射装置１７０をスタンド９２０から取りだした際に、これを検出して、送液ポンプ２００を起動するといった処理が可能となる。スタンド９２０から取り出された液体噴射装置１７０は、速やかに術部での施術に使用されることになる。このとき、液体噴射装置１７０をスタンド９２０から取り出したことを契機として、送液ポンプ２００を起動している。したがって、使用者が、液体噴射装置１７０の先端の噴射ノズルを術部に近づけた頃には、液体は、液体噴射装置１７０まで送り込まれているか、少なくとも液体噴射装置１７０に到着間近な状態となっている。この結果、使用者は、液体の充填を待つことなく、液体噴射装置１７０を使用することができる。このため、第７実施形態によれば、初期充填作業を省略することができる。
【００９０】
また、第７実施形態では、スタンド９２０からの信号は、液体噴射装置１７０を介することなく、直接制御部４２０に出力されるので、例えばスタンド９２０に液体噴射装置１７０が装着されていない、という情報を制御部４２０に出力することも可能である。また、液体噴射装置１７０の装着時に、ＥＣＵ９２４が液体噴射装置１７０から収集した大量のデータを、直接制御部４２０に出力することも可能である。更に、ＥＣＵ９２４は、制御部４２０以外の機器と通信してもよいし、制御部４２０と共に他の機器と通信してもよい。他の機器としては、例えば術中モニタなどのモニタ機器、記録機器、ボイスレコーダ、ビデオレコーダ等が使用可能である。
【００９１】
（８）第８実施形態：
本発明の第８実施形態を図１６に示した。第８実施形態のスタンドは、第１実施形態のスタンド５００と同一の構成を備え、収容通路５１０の入口に、保護シート５５０を備える点のみ相違している。この保護シート５５０は、スタンド５００と共に滅菌処理されたものであり、収容通路５１０の入口を密封している。このため、スタンド５００が手術室などに設置されてから、液体噴射装置１００の装着までに、収容通路５１０に異物が入り込むといった虞がない。
【００９２】
保護シート５５０は、液体噴射装置１００を収容通路５１０に収容する直前にマニュアルで引きはがすものとしてもよいし、液体噴射装置１００を突き立てるだけで、簡単に脱落するものとしてもよい。あるいは、液体噴射装置１００のテストを兼ねて、噴射ノズルから噴出する水流により、保護シートを切断して、開口するものとしてもよい。こうすれば、使用前に、保護シート５５０が開けられて、異物が混入する可能性を排除することができる。なお、保護シート５５０は透明なものとして内部が見えるようにしてもよいし、不透明なものとしてよい。また保護シート５５０は、弾性のあるシートを引っ張り延ばした状態で、収容通路入口に貼付してもよい。こうすれば、保護シート５５０の一部に亀裂が入った段階で保護シート５００は自らのテンションで縮み、収容通路を速やかに開口する。あるいは保護シート５５０には、最初から切れ目（例えば中心から放射線状の切れ目）を入れておき、液体噴射装置１００を挿入したときに、切れ目に沿って保護シート５５０が分離し、破片などが生じにくいようにしておくことも、清浄な環境で施術するという観点から好適である。
【００９３】
（９）第９実施形態：
第９実施形態を図１７に示した。図示するように、このスタンド５００は、第１実施形態または第８実施形態のスタンドであり、これを液体噴射装置としてのハンドピース１８０と共に、保管袋９３０に入れて、密封している。スタンド５００とハンドピース１８０は、保管袋９３０に入れた状態で、紫外線により滅菌処理されている。
【００９４】
このスタンド５００は、保管袋９３０にハンドピース１８０と共に入れられ、滅菌されているので、手術室などで、保管袋９３０を破って取り出せば、改めて滅菌処理することなく、直ちに両者を使用することができる。しかも、スタンド５００はそれまで使用されたものでないことが明確であり、二度使用などの虞がない。
【００９５】
第９実施形態のハンドピースとスタンドを提供する方法を、図１８に示した。即ち、まずスタンド５００とハンドピース１８０とを袋に詰め（工程Ｓ６５０）、次にこれを、紫外線を用いて滅菌する（工程Ｓ６６０）。これにより、滅菌消毒された状態でのスタンド５００とハンドピース１８０とが、保管袋１８０に入れられた状態で提供される。尚、スタンド５００だけを袋に入れ、滅菌処理して、提供してもよい。
【００９６】
（１０）第１０実施形態：
次に本発明の第１０実施形態について説明する。図１９は第１０実施形態のスタンド５６０の形態を断面視により示す説明図である。図示するように、このスタンド５６０は、液体噴射装置１９０を収容する収容通路の他に、使用済吸引管保管部５６５を備える。この使用済吸引管保管部５６５は、図示するように、液体噴射装置１９０の吸引管１３０より僅かに内径の大きな内挿部５６１、内挿部５６１の入口に設けられた傾斜部５６２，内挿部５６１の底部近くに設けられた一対のローラ５７１，５７２を備える。この一対のローラ５７１，５７２は、一方向にしか回転しないように、簡易なワンウェイクラッチが取り付けられている。その回転可能方向は、ローラ５７１は図示反時計回り、ローラ５７２は図示時計回りである。また、一対のローラ５７１，５７２の外周の離間距離は、吸引管１３０の外形より僅かに小さい。
【００９７】
液体噴射装置１９０の使用中、吸引管１３０は吸引動作を行なって、術部に噴射した液体や血液などを吸引している。その際、噴射管１２０から噴射した液滴により破砕した組織などにより、吸引管１３０が詰まり、交換を余儀なくなされる場合がある。こうしたとき、使用者は、液体噴射装置１９０を持ったまま、上方からスタンド５６０の使用済吸引管保管部５６５に吸引管１３０を近づけ、吸引管１３０を、内挿部５６１に差し入れる。内挿部５６１の入口には傾斜部５６２が設けられているので、吸引管１３０を上方から近づけると、吸引管１３０は内挿部５６１に案内される。
【００９８】
そのまま吸引管１３０を内挿部５６１内に挿入していくと、やがて吸引管１３０の先端が、一対のローラ５７１，５７２に触れる。一対のローラ５７１，５７２は、吸引管１３０が挿入されていく方向には回転可能なので、両側から吸引管１３０を挟み込むようにして回転し、吸引管１３０は、内挿部５６１の内部に更に挿入される。この状態を図２０の上段（Ａ）に示した。
【００９９】
次に、図２０の（Ａ）に示した状態から、液体噴射装置１９０を上方（矢印方向）に引き上げる。このとき、一対のローラ５７１，５７２は逆回転しないので、吸引管１３０は一対のローラ５７１，５７２に挟まれたまま移動できない。このため、液体噴射装置１９０を上方に引き上げると、吸引管１３０は液体噴射装置１９０か離脱し、使用済吸引管保管部５６５に残ることになる。この状態を、図２０下段（Ｂ）に示した。
【０１００】
第１０実施形態のスタンド５６０によれば、吸引管１３０が目詰まりなどを起こして取り替えを余儀なくされたとき、使用者は、スタンド５６０に用意された使用済吸引管保管部５６５に吸引管１３０を差し入れてから、液体噴射装置１９０を引き上げるだけよい。この操作だけで、使用済みの吸引管１３０は、液体噴射装置１９０から外れ、使用済吸引管保管部５６５に保持される。したがって、使用者は、自ら手で、吸引管１３０を取り外すといった作業をする必要がない。このため、吸引管１３０を外そうとして、金属製の噴射ノズル等が引っかかり、手袋を損傷したりするということがない。この結果、吸引管１３０を取り外そうとする術者が患者の体液などによって感染するというリスクにさらされることがない。
【０１０１】
（１１）第１１実施形態：
第１０実施形態では、吸引管１３０の取り外しが可能な構成を示したが、第１１実施形態では、吸引管１３０の取り外しだけでなく、新たな吸引管１３０の取り付けも可能な形態をしめす。このスタンド５７０の構成を図２１に示した。図示するように、前述の使用済吸引管保管部５６５の隣に、交換用吸引管保管部５７５を備える。この交換用吸引管保管部５７５は、使用済吸引管保管部５６５とよく似た構成を備えるが、使用済吸引管保管部５６５が使用前には内部が空であったのに対して、交換用吸引管保管部５７５は、内部に未使用の吸引管１３０を保持している点で相違する。また、交換用吸引管保管部５７５に設けられた一対のローラは、双方向に回転可能であり、単に新しい吸引管１３０を保持しているのみである。
【０１０２】
第１０実施形態において説明したように、使用済吸引管保管部５６５に液体噴射装置１９０の古い吸引管１３０を挿入して、吸引管１３０を取り外した後、液体噴射装置１９０の液体噴射管１２０を、交換用吸引管保管部５７５の新たな吸引管１３０内に挿入する。そして、吸引管１３０が液体噴射装置１９０の本体に嵌入して取り付けられるまで、液体噴射管１２０を交換用吸引管保管部５７５に挿入する。
【０１０３】
以上の操作により、吸引管１３０は新たなものに取り替えられる。このため、術中に吸引管１３０が目詰まりなどを起こした場合でも、古い吸引管１３０の取り外しと、未使用の吸引管１３０の装着とを、スタンド５７０を用いて容易に行なうことができる。したがって、液体噴射装置１９０の使用者が、吸引管１３０の交換時に、手袋をした手で吸引管１３０を持ったり、装着作業を行なったりする必要がなく、手袋の破損、感染の虞などのリスクを回避することができる。
【０１０４】
以上、本発明のスタンドのいつかの実施形態について説明したが、本発明は上記の実施形態に限られるものではなく、その要旨を逸脱しない範囲において種々の態様で実施することが可能である。例えば、スタンドの形状は、第１ないし第１１実施形態の形状に限定されるものではなく、図２２に例示するような、オープンな形状であっても差し支えない。図２２に示したスタンド５８０では、液体噴射装置１９５は、スタンド本体５８１から立設された保持具５８４に装着される。この例では、保持具５８４の先端に設けられたリング部５８５に、液体噴射装置１９５は収容される。なお、液体噴射装置１９５の入れやすさを優先して、図２２の例では、リング５８５の一部（手前側）を切り欠いているが、閉じたリングであっても使用可能である。
【０１０５】
図２２に示したスタンド５８０では、固定具５８４にセンサ５８７を設け、液体噴射装置１９５が収容されたか否かを検出し、その検出結果を、スタンド本体５８１に設けられたＥＣＵ５８６に出力している。したがって、センサ５８７による液体噴射装置１９５の収容の有無の検出を契機として、このＥＣＵ５８６が、上述した各実施形態における連携処理などを実行すればよい。なお、図２２に示した実施形態では、吸引管１３０などから漏出する液体を吸収する高吸水性ポリマー５８３が本体５８１には埋設されている。したがって、液体溜部がなくても、使用する上で差し支えはない。かかるスタンド５８０では、囲われた収容通路はなく、液体噴射装置１９５の状態を目視で常に観察することができる。また、吸引管１３０や噴射ノズルなどをスタンドの収容通路の縁にぶつけて損傷するといったこともない。リング状の保持具５８４の一部が切り欠かれているので、液体噴射装置１９５の収納、取り出しも容易である。第１ないし第１１の実施形態は、図２２に示した形状のスタンド、あるいは他の形状のスタンドであっても実施可能である。
【０１０６】
また、本実施形態では、ダイアフラム１１４の動きにより液体室１１２の容積を変更して液体の噴射を行なったが、ダイアフラム１１４の代わりにピストンによって液体室１１２の容積を変更してもよく、ダイヤフラム１１４を用いることなく、液体室内の液体に対しレーザー光を照射し、液体室内の圧力を短時間のうちに急激に高めるといった手法により液体を噴射してもよい。あるいはダイアフラム１１４や液体室１１２を用いることなく、送液ポンプ２００の圧力によって液体を噴射してもよい。また、パルス流噴射に限定されず、連続流噴射であってもよい。なお、液体排出処理は、初期充填作業や、気泡を排出するための液体排出作業を行なうものと説明したが、ノズル１２４の先端が固化することを防止するための液体排出作業を行なうものであってもよい。更には、電気メスやレーザーメスなど、他の医療用の器具を保持する装置としても使用可能である。また、上記の実施形態は、単独でも、あるいは２以上の実施形態を任意に組み合わせても、実施可能である。
【符号の説明】
【０１０７】
１０…液体噴射装置システム
１００，１４０，１５０，１６０，
１７０，１８０，１９０，１９５…液体噴射装置
１１０…本体部
１１２…液体室
１１４…ダイアフラム
１１６…圧電素子
１１８…連通路
１２０…液体噴射管
１２２…噴射流路
１２４…ノズル
１３０…吸引管
１３２…吸引流路
１３４…吸引開口部
１４２，９２２…磁石
１８０…ハンドピース
２００…送液ポンプ
２１０…第１接続チューブ
２１２…第２接続チューブ
２２０…液体容器
３００…吸引ポンプ
３１０…第３接続チューブ
３２０…排液容器
４００，４１０，４２０…制御部
５００，５６０，５８０，７００，
８００，９００，９１０，９２０…スタンド
５１０，８５２，９０６…収容通路
５１２…シール部
５１４…凸部
５１６…ピン
５１８…貫通部
５２０…液体溜部
５５０…保護シート
５６１…内挿部
５６２…傾斜部
５６５…使用済吸引管保管部
５７１，５７２…ローラ
５７５…交換用吸引管保管部
５８１…スタンド本体
５８３…高吸水性ポリマー
５８４…保持具
５８５…リング
５８６，８８０，９１４，９２４…ＥＣＵ
５８７…センサ
６００…液体噴射装置
６１０…読取部
７３０…ＩＤ表示部
８２０，８３０…液体溜部
８２２…排出通路
８２４…第１排液チューブ
８２６…スタンド側吸引ポンプ
８２８…第２排液チューブ
８３１…メッシュ
８３５…高吸水性ポリマー
８４０，８５０，８６０…スタンド
８５３，９０３，９１３，９２３…筐体
８６０…洗浄ノズル
８７０…洗浄用ポンプ
８７１…通路
８７２…洗浄液タンク
８８２…センサ
８８５…手動スイッチ
９０１，９０２…ペルチェ素子
９０４…直流電源
９０５…スライドスイッチ
９１１，９１２…通信カプラ
９１４，９２４…ＥＣＵ
９１５，９２５…表示部
９２１…センサ
９２７，９２８…コネクタ
９３０…保管袋
ＳＷ１…第１スイッチ
ＳＷ２…第２スイッチ
【図１】
2015033508.tif 000003
【図２】
2015033508.tif 000004
【図３】
2015033508.tif 000005
【図４】
2015033508.tif 000006
【図５】
2015033508.tif 000007
【図６】
2015033508.tif 000008
【図７】
2015033508.tif 000009
【図８】
2015033508.tif 000010
【図９】
2015033508.tif 000011
【図１０】
2015033508.tif 000012
【図１１】
2015033508.tif 000013
【図１２】
2015033508.tif 000014
【図１３】
2015033508.tif 000015
【図１４】
2015033508.tif 000016
【図１５】
2015033508.tif 000017
【図１６】
2015033508.tif 000018
【図１７】
2015033508.tif 000019
【図１８】
2015033508.tif 000020
【図１９】
2015033508.tif 000021
【図２０】
2015033508.tif 000022
【図２１】
2015033508.tif 000023
【図２２】
2015033508.tif 000024